(57)【特許請求の範囲】
【請求項１】
ユーザ端末と通信接続された検索装置において、
ユーザのプロフィールに関するプロフィール情報を記憶する記憶手段と、
前記プロフィール情報から特定のユーザを検索するための検索条件を、該検索条件を指定する検索ユーザのユーザ端末から受信する受信手段と、
前記受信手段により受信された検索条件に基づいて、該検索条件を満たすプロフィール情報を有する検索対象ユーザを前記記憶手段から検索する検索手段と、
前記検索手段により検索された検索対象ユーザのプロフィール情報のうち、個人の特徴を表す特徴情報を検索結果として前記検索ユーザのユーザ端末へ出力し、当該出力に応じて、当該検索ユーザのプロフィール情報のうちの特徴情報を当該検索対象ユーザのユーザ端末へ出力する制御を行う制御手段と、
を備え、
前記特徴情報には、ユーザの年齢、性格および相手の希望の情報が含まれる検索装置。
【請求項２】
前記制御手段は、
前記検索対象ユーザのログイン認証が成功したとき、前記検索対象ユーザのユーザ端末に前記特徴情報を出力する請求項１に記載の検索装置。
【請求項３】
前記プロフィール情報は、
個人を特定可能な個人特定情報を含み、
前記制御手段は、
前記検索ユーザのユーザ端末及び前記検索対象ユーザのユーザ端末のそれぞれから前記個人特定情報の出力を許可する指示を受信した場合、前記検索ユーザのユーザ端末へ前記検索対象ユーザの前記個人特定情報を出力し、前記検索対象ユーザのユーザ端末へ前記検索ユーザの前記個人特定情報を出力する請求項１又は２に記載の検索装置。
【請求項４】
ユーザ端末と通信接続された検索装置の検索方法において、
記憶手段が、ユーザのプロフィールに関するプロフィール情報を記憶する記憶工程と、
受信手段が、前記プロフィール情報から特定のユーザを検索するための検索条件を、該検索条件を指定する検索ユーザのユーザ端末から受信する受信工程と、
検索手段が、前記受信工程により受信された検索条件に基づいて、該検索条件を満たすプロフィール情報を有する検索対象ユーザを前記記憶手段から検索する検索工程と、
制御手段が、前記検索工程により検索された検索対象ユーザのプロフィール情報のうち、個人の特徴を表す特徴情報を検索結果として前記検索ユーザのユーザ端末へ出力し、当該出力に応じて、当該検索ユーザのプロフィール情報のうちの特徴情報を当該検索対象ユーザのユーザ端末へ出力する制御を行う制御工程と、
を含み、
前記特徴情報には、ユーザの年齢、性格および相手の希望の情報が含まれる検索方法。
【請求項５】
ユーザ端末と通信接続された検索装置のコンピュータに、
ユーザのプロフィールに関するプロフィール情報を記憶手段に記憶する記憶機能、
前記プロフィール情報から特定のユーザを検索するための検索条件を、該検索条件を指定する検索ユーザのユーザ端末から受信する受信機能、
前記受信機能により受信された検索条件に基づいて、該検索条件を満たすプロフィール情報を有する検索対象ユーザを前記記憶手段から検索する検索機能、
前記検索機能により検索された検索対象ユーザのプロフィール情報のうち、個人の特徴を表す特徴情報を検索結果として前記検索ユーザのユーザ端末へ出力し、当該出力に応じて、当該検索ユーザのプロフィール情報のうちの特徴情報を当該検索対象ユーザのユーザ端末へ出力する制御を行う制御機能、
を実現させ、
前記特徴情報には、ユーザの年齢、性格および相手の希望の情報が含まれるプログラム。
【発明の詳細な説明】
【技術分野】
【０００１】
本発明は、検索装置、検索方法及びプログラムに関する。
【背景技術】
【０００２】
近年、相性の合う好相性のパートナー（結婚相手や交際相手など）を検索するサービスが普及している。この検索サービスは、好相性の異性を探したいと考えている人を対象に、希望する本人が自身の個人情報をユーザ登録し、同じくユーザ登録された異性の個人情報の中から好相性の異性を探すための機会を提供するサービスである。
【０００３】
具体的に、検索サービスにおいては、ユーザにより好相性の異性のタイプ（年齢、性格、居住地など）がキーワードとして入力され、該入力されたキーワードと、ユーザ登録された異性の個人情報とに基づいて、キーワードとマッチングの取れた個人情報を有する異性が検索される。
【０００４】
また、上述のようなマッチングによる手法ではなく、互いにすでに出会った状況の下で、人々に自分自身で相互の関心を探らせる技術が知られている（例えば、特許文献１参照）。この技術は、無線通信送信器を使用するユーザが所定の距離又は範囲内において気に入った目当ての相手に出会った場合、自分の無線通信送信器から相手側の無線通信送信器に対して無線信号を送信する技術である。これにより、目立たず、匿名で無線信号を送信することが可能となり、信号を拒絶されたとしても、信号を送信したことは誰にも知られないので、信号送信者は恥ずかしい思いをしないですむといった効果がある。    
【先行技術文献】
【特許文献】
【０００５】
【特許文献１】特表２０１０−５２４３４８号公報
【発明の概要】
【発明が解決しようとする課題】
【０００６】
しかしながら、上述の検索サービスでは、好相性の異性として検索されたユーザは、どのような特徴、すなわち、どのような趣味や性格の人が自分に対して興味を持って検索してくれたのかを把握することはできなかった。
また、上述の特許文献１の技術においても、無線信号を受信した人は、無線信号を送信した人がどのような特徴の人であるのかを把握することはできなかった。
【０００７】
本発明の課題は、パートナーを探す際において、自分に対して興味を持ってくれた人の特徴を把握できる検索装置、検索方法、プログラムを提供することを目的とする。
【課題を解決するための手段】
【０００８】
上記課題を解決するため、請求項１に記載の発明の検索装置は、
ユーザ端末と通信接続された検索装置において、
ユーザのプロフィールに関するプロフィール情報を記憶する記憶手段と、
前記プロフィール情報から特定のユーザを検索するための検索条件を、該検索条件を指定する検索ユーザのユーザ端末から受信する受信手段と、
前記受信手段により受信された検索条件に基づいて、該検索条件を満たすプロフィール情報を有する検索対象ユーザを前記記憶手段から検索する検索手段と、
前記検索手段により検索された検索対象ユーザのプロフィール情報のうち、個人の特徴を表す特徴情報を検索結果として前記検索ユーザのユーザ端末へ出力し、当該出力に応じて、当該検索ユーザのプロフィール情報のうちの特徴情報を当該検索対象ユーザのユーザ端末へ出力する制御を行う制御手段と、
を備え、前記特徴情報には、ユーザの年齢、性格および相手の希望の情報が含まれる。
【０００９】
請求項２に記載の発明は、請求項１に記載の検索装置において、
前記制御手段は、
前記検索対象ユーザのログイン認証が成功したとき、前記検索対象ユーザのユーザ端末に前記特徴情報を出力する。
【００１０】
請求項３に記載の発明の検索装置は、請求項１又は２に記載の検索装置において、
前記プロフィール情報は、
個人を特定可能な個人特定情報を含み、
前記制御手段は、
前記検索ユーザのユーザ端末及び前記検索対象ユーザのユーザ端末のそれぞれから前記個人特定情報の出力を許可する指示を受信した場合、前記検索ユーザのユーザ端末へ前記検索対象ユーザの前記特定情報を出力し、前記検索対象ユーザのユーザ端末へ前記検索ユーザの前記個人特定情報を出力する。
【００１１】
請求項４に記載の発明の検索方法は、
ユーザ端末と通信接続された検索装置の検索方法において、
記憶手段が、ユーザのプロフィールに関するプロフィール情報を記憶する記憶工程と、
受信手段が、前記プロフィール情報から特定のユーザを検索するための検索条件を、該検索条件を指定する検索ユーザのユーザ端末から受信する受信工程と、
検索手段が、前記受信工程により受信された検索条件に基づいて、該検索条件を満たすプロフィール情報を有する検索対象ユーザを前記記憶手段から検索する検索工程と、
制御手段が、前記検索工程により検索された検索対象ユーザのプロフィール情報のうち、個人の特徴を表す特徴情報を検索結果として前記検索ユーザのユーザ端末へ出力し、当該出力に応じて、当該検索ユーザのプロフィール情報のうちの特徴情報を当該検索対象ユーザのユーザ端末へ出力する制御を行う制御工程と、
を含み、前記特徴情報には、ユーザの年齢、性格および相手の希望の情報が含まれる。
【００１２】
請求項５に記載の発明のプログラムは、
ユーザ端末と通信接続された検索装置のコンピュータに、
ユーザのプロフィールに関するプロフィール情報を記憶手段に記憶する記憶機能、
前記プロフィール情報から特定のユーザを検索するための検索条件を、該検索条件を指定する検索ユーザのユーザ端末から受信する受信機能、
前記受信機能により受信された検索条件に基づいて、該検索条件を満たすプロフィール情報を有する検索対象ユーザを前記記憶手段から検索する検索機能、
前記検索機能により検索された検索対象ユーザのプロフィール情報のうち、個人の特徴を表す特徴情報を検索結果として前記検索ユーザのユーザ端末へ出力し、当該出力に応じて、当該検索ユーザのプロフィール情報のうちの特徴情報を当該検索対象ユーザのユーザ端末へ出力する制御を行う制御機能、
を実現させ、
前記特徴情報には、ユーザの年齢、性格および相手の希望の情報が含まれる。
【発明の効果】
【００１３】
本発明によれば、パートナーを探す際において、自分に対して興味を持ってくれた人の特徴を把握することができる。
【図面の簡単な説明】
【００１４】
【図１】検索装置の機能構成図である。
【図２】プロフィールＤＢを示す図である。
【図３】プロフィール情報登録処理の流れを示す図である。
【図４】検索処理の流れを示す図である。
【発明を実施するための形態】
【００１５】
以下、図を参照して本発明の実施の形態を詳細に説明する。まず、本発明の検索装置１の機能について説明する。
【００１６】
図１に、検索装置１の機能構成図を示す。検索装置１は、ユーザと相性の合う好相性のパートナー（結婚相手や交際相手など）を探すための検索機能を有する装置である。検索装置１は、複数のユーザ端末と通信接続可能であって、ユーザ端末と情報の送受信を行う機能を有する。
【００１７】
本実施の形態では、検索装置１は、ユーザ端末２０Ａ及びユーザ端末２０Ｂと情報の送受信を行う機能を有するものとする。なお、ユーザ端末２０Ａは、ユーザＡから情報の操作入力が受け付け可能な端末であり、ユーザ端末２０Ｂは、ユーザＢから情報の操作入力が受け付け可能な端末である。ユーザ端末２０Ａ及びユーザ端末２０Ｂとしては、例えば、ＰＣ（Personal Computer）や携帯電話機等が挙げられる。
【００１８】
また、ユーザＡ及びユーザＢは検索装置１を利用するユーザであって、パートナーを得ることを望んでいるユーザである。以下、検索条件を指定するユーザを検索ユーザと記す。また、検索条件に基づいて、プロフィールＤＢ１６Ａから検索されたユーザを検索対象ユーザと記す。検索条件は、プロフィール情報から特定のユーザを検索するための条件を示す。
本実施の形態では、ユーザＢが検索ユーザ、ユーザＡが検索対象ユーザであるものとして説明する。
【００１９】
図１に示すように、検索装置１は、プロフィール検索キーワード受信部１１と、プロフィールＤＢ（Data Base）検索部１２と、検索結果送信部１３と、検索者情報抽出部１４、検索者情報送信部１５と、記憶部１６と、を備えて構成される。
【００２０】
プロフィール検索キーワード受信部１１、検索結果送信部１３及び検索者情報送信部１５は、制御部及び通信部により構成される。また、プロフィールＤＢ検索部１２及び検索者情報抽出部１４は、制御部により構成される。
【００２１】
制御部は、ＣＰＵ（Central Processing Unit）、ＲＡＭ（Random Access Memory）等により構成され、検索装置１の各部を中央制御する。制御部は、プログラム記憶部に記憶されているプログラムの中から指定されたプログラムをＲＡＭに展開し、ＲＡＭに展開されたプログラムとの協働で、各種処理を実行する。また、通信部は、接続されるユーザ端末２０Ａ，２０Ｂと情報を送受信する。  
【００２２】
プロフィール検索キーワード受信部１１は、プロフィール検索キーワードを受信する。プロフィール検索キーワードは、検索条件を示すキーワードである。例えば、検索装置１と通信接続されたユーザ端末２０Ｂにおいて、検索条件が「年齢○○才以下」「年収○○円以上」のプロフィール検索キーワードがユーザＢにより操作部（図示省略）を介して操作入力され、該プロフィール検索キーワードが検索装置１に送信された場合、プロフィール検索キーワード受信部１１は、該プロフィール検索キーワードを受信する。
【００２３】
また、プロフィール検索キーワード受信部１１がプロフィール検索キーワードを受信すると、検索ユーザ情報が記憶部１６に記憶される。検索ユーザ情報は、プロフィール検索キーワードを操作入力したユーザのユーザＩＤを示す情報である。
【００２４】
例えば、ユーザ端末２０ＢにおいてユーザＢのログイン認証が成功しており、ユーザＢによりプロフィール検索キーワードが操作入力され、該操作入力されたプロフィール検索キーワードが検索装置１により受信された場合、ユーザＢのユーザＩＤが検索ユーザ情報として記憶部１６に記憶される。
【００２５】
プロフィールＤＢ検索部１２は、プロフィール検索キーワードの検索条件を満たすプロフィールを有するユーザをプロフィールＤＢ１６Ａから検索する。
【００２６】
ここで、図２を参照して、プロフィールＤＢ１６Ａのデータ構成について説明する。プロフィールＤＢ１６Ａは、ユーザのプロフィール情報が記憶されたデータベースである。図２に示すように、プロフィールＤＢ１６Ａは、プロフィール情報として、ユーザＩＤ（Identification）、氏名、愛称、年齢、概要、利用動機、相手の希望、性格等がそれぞれ関連付けて記憶されている。
【００２７】
ユーザＩＤは、ユーザを識別するための固有の番号である。氏名はユーザの氏名であり、愛称はユーザのニックネームである。
【００２８】
概要はユーザに関する情報を示す。概要は、例えば「総合病院の医療事務。仕事はやりがいがあり充実しているが、結婚して幸せに暮らしている友人がうらやましい。出会いがほとんどなくなり、よいご縁があれば、と思い切って登録。」といった情報を示す。
【００２９】
利用動機は、プロフィールＤＢ１６Ａに個人情報を登録した動機に関する情報である。利用動機は、例えば「早く結婚して子供がほしい」といった情報を示す。
【００３０】
相手の希望は、パートナー相手に希望する条件に関する情報を示す。相手の希望は、例えば「お互いを尊敬し合える」といった情報を示す。
【００３１】
性格は、ユーザの性格に関する情報を示す。性格は、例えば「しっかり・慎重・貴重面・安定志向・面倒見は良い」といった情報を示す。
【００３２】
居住地は、ユーザの居住地の住所を示す。顔写真は、ユーザの顔を表す画像データを示す。
【００３３】
また、プロフィールＤＢ１６Ａには、図２に示す以外にも、プロフィール情報として、仕事環境、趣味（いずれも図示省略）といった情報が記憶されている。
【００３４】
また、プロフィール情報のうち、氏名、居住地、顔写真は、個人を特定可能な個人特定情報を示す。また、プロフィール情報のうち、個人特定情報以外の情報（愛称、年齢、概要、利用動機、相手の希望、性格等の情報）は、個人の特徴を表す特徴情報を示す。
【００３５】
図１に戻り、プロフィールＤＢ検索部１２について説明する。例えば、検索条件が「年齢○○才以下」「年収○○円以上」のプロフィール検索キーワードがプロフィール検索キーワード受信部１１により受信された場合、プロフィールＤＢ検索部１２は、「年齢○○才以下」「年収○○円以上」の検索条件を満たすプロフィールを有するユーザをプロフィールＤＢ１６Ａから検索する。
【００３６】
検索条件を満たすプロフィールを有するユーザが検索されると、検索履歴情報が記憶部１６に記憶される。例えば、検索履歴情報として、ユーザＡの特徴情報を検索したことを示す情報が記憶される。
【００３７】
検索結果送信部１３は、プロフィールＤＢ検索部１２により検索された検索結果をユーザ端末へ出力、すなわち送信して表示させる。
【００３８】
例えば、プロフィールＤＢ検索部１２によりユーザＡが検索された場合、検索結果送信部１３は、検索結果として、ユーザＡの特徴情報（愛称、年齢、概要、利用動機、相手の希望、性格等の情報）をユーザ端末２０Ｂに送信し、該送信した特徴情報をユーザ端末２０Ｂの表示部（図示省略）に表示させる。
【００３９】
検索者情報抽出部１４は、検索ユーザ情報に基づいて、検索ユーザの特徴情報をプロフィールＤＢ１６Ａから抽出する。
【００４０】
例えば、検索ユーザ情報として、ユーザＢのユーザＩＤが記憶部１６に記憶されていた場合、検索者情報抽出部１４は、ユーザＢのユーザＩＤに関連付けられた特徴情報をプロフィールＤＢ１６Ａから抽出する。
【００４１】
検索者情報送信部１５は、検索者抽出部１４により抽出された検索ユーザの特徴情報を検索対象ユーザのユーザ端末に出力、すなわち、送信して表示させる。
【００４２】
例えば、検索履歴情報にユーザＡの特徴情報を検索したことを示す情報が記憶されていた場合、検索者情報送信部１５は、検索対象ユーザとしてユーザＡを認定する。そして、検索者情報送信部１５は、通信接続されたユーザ端末の中から、ユーザＡの認証が成功したユーザ端末２０Ａを判別する。そして、検索者情報送信部１５は、該判別されたユーザ端末２０ＡにユーザＢの特徴情報を送信し、該送信した特徴情報をユーザ端末２０Ａの表示部（図示省略）に表示させる。
【００４３】
記憶部１６は、ＨＤＤ（Hard Disk Drive）により構成され、各種アプリケーションプログラム及び各種データを記憶する。記憶部１６は、特にプロフィールＤＢ１６Ａを記憶する。
【００４４】
次に、図３及び図４を参照して、検索装置１の動作を説明する。先ず、図３を参照して、検索装置１で実行されるプロフィール情報登録処理について説明する。
【００４５】
プロフィール情報登録処理は、ユーザ端末２０Ａ又は２０Ｂの操作部を介してユーザにより操作入力されたプロフィール情報をプロフィールＤＢ１６Ａに登録する処理である。
【００４６】
例えば、ログイン認証の実行指示がユーザ端末２０Ａ又は２０Ｂのいずれかから受信されたことをトリガとしてプロフィール情報登録処理が実行開始される。ログイン認証とは、検索装置１の検索機能をユーザが利用可能か否かを判定することをいう。
【００４７】
予め、ユーザのログイン認証情報（ユーザＩＤ及びパスワード）が記憶部１６に記憶されているものとする。
【００４８】
先ず、ログイン情報が受信される（ステップＳ１）。具体的には、ユーザＩＤ及びパスワードがユーザ端末から受信される。
【００４９】
ステップＳ１の実行後、ログイン認証は成功したか否かが判別される（ステップＳ２）。具体的には、ステップＳ１において受信されたログイン情報（ユーザＩＤ及びパスワード）と、記憶部１６に記憶されているログイン認証情報（ユーザＩＤ及びパスワード）とが一致するか否かに基づいて、ログイン認証が実行される。
【００５０】
ステップＳ２において、ログイン認証が失敗した場合（ステップＳ２；ＮＯ）、ステップＳ１に移行される。ステップＳ２において、ログイン認証が成功した場合（ステップＳ２；ＹＥＳ）、プロフィール情報が受信される（ステップＳ３）。そして、受信されたプロフィール情報がプロフィールＤＢ１６Ａに記憶される（ステップＳ４）。ステップＳ４の実行後、プロフィール情報登録処理は終了する。
【００５１】
次に、図４を参照して、検索装置１で実行される検索処理について説明する。検索処理は、検索ユーザ（ユーザＢ）の特徴情報を検索対象ユーザ（ユーザＡ）のユーザ端末２０Ａへ出力する処理である。
【００５２】
例えば、ログイン認証の実行指示がユーザ端末２０Ｂから受信されたことをトリガとして検索処理が実行開始される。
【００５３】
予め、プロフィール情報登録処理によりユーザＡ及びユーザＢのプロフィール情報がプロフィールＤＢ１６Ａに記憶されているものとする。
【００５４】
先ず、ユーザ端末２０ＢからユーザＢのログイン情報が受信される（ステップＳ１１）。そして、ログイン認証が成功したか否かが判別される（ステップＳ１２）。具体的には、ステップＳ１１において受信されたユーザＢのユーザＩＤ及びパスワードと、記憶部１６に記憶されているユーザＢのログイン認証情報（ユーザＩＤ及びパスワード）とが一致するか否かに基づいて、ログイン認証が実行される。
【００５５】
ステップＳ１２において、ログイン認証が失敗したと判別された場合（ステップＳ１２；ＮＯ）、ステップＳ１１に移行される。ステップＳ１２において、ログイン認証が成功したと判別された場合、プロフィール検索キーワードが受信される（ステップＳ１３）。具体的には、ユーザＢによりユーザ端末２０Ｂの操作部を介して操作入力されたプロフィール検索キーワードが検索装置１に送信され、該プロフィール検索キーワードがプロフィール検索キーワード受信部１１により受信される。
【００５６】
ステップＳ１３の実行後、受信されたプロフィール検索キーワードの検索条件を満たすプロフィールを有するユーザが検索される（ステップＳ１４）。具体的には、プロフィールＤＢ検索部１２により、プロフィール検索キーワードの検索条件を満たすプロフィールを有するユーザＡがプロフィールＤＢ１６Ａから検索される。
【００５７】
ステップＳ１４の実行後、検索結果が検索ユーザのユーザ端末へ出力される（ステップＳ１５）。具体的には、検索結果送信部１３により、ユーザＡの特徴情報が検索結果としてユーザ端末２０Ｂに送信され、該送信された特徴情報がユーザ端末２０Ｂの表示部に表示される。これにより、ユーザＢは、ユーザＡの特徴情報を参照することができる。
【００５８】
ステップＳ１５の実行後、検索ユーザの特徴情報がプロフィールＤＢ１６Ａから抽出される（ステップＳ１６）。具体的には、検索対象者検索部１４により、検索ユーザ情報に基づいて、検索ユーザの特徴情報がプロフィールＤＢ１６Ａから検索される。    
【００５９】
ステップＳ１６の実行後、検索対象ユーザはログイン認証成功済みであるか否かが判別される（ステップＳ１７）。具体的には、検索者情報送信部１５により、検索履歴情報に基づいて、検索対象者ユーザとしてユーザＡが認定される。そして、検索者情報送信部１５により、ログイン認証が成功したか否かを示すログイン履歴情報に基づいて、ユーザＡはログイン認証が成功済みであるか否かが判別される。
【００６０】
ステップＳ１７において、検索対象ユーザはログイン認証成功済みでないと判別された場合（ステップＳ１７；ＮＯ）、検索ユーザの特徴情報が記憶部１６に記憶される（ステップＳ１８）。ステップＳ１８の実行後、ステップＳ１７に移行される。
【００６１】
ステップＳ１７において、検索対象ユーザはログイン認証成功済みであると判別された場合（ステップＳ１７；ＹＥＳ）、検索ユーザの特徴情報が検索対象ユーザのユーザ端末に出力される（ステップＳ１９）。具体的には、検索者情報送信部１５により、ユーザＢの特徴情報がユーザ端末２０Ａに送信され、該送信された特徴情報がユーザ端末２０Ａの表示部に表示される。これにより、ユーザＡは、ユーザＢの特徴情報を参照することができる。
【００６２】
なお、ユーザＢの特徴情報は、様々な表示態様により表示される。例えば、「○○（ユーザＢの愛称）さんが興味を持っています」との表示とともに、ユーザＢの性格等を表示することとしてもよい。また、ユーザＢの特徴情報が記載されたＷＥＢページを表示することとしてもよい。また、ユーザＢの愛称の表示とともに、性格等の特徴情報を参照できるＷＥＢページのリンク先を示した情報を表示することとしてもよい。ステップＳ１９の実行後、検索処理は終了される。
【００６３】
上述の検索処理の終了後、例えば、ユーザＢ及びユーザＡの相互間でメッセージ交換のやりとりがあり、互いのやり取りを通じて、ユーザＡ及びユーザＢがそれぞれに興味を持ち、ユーザ端末２０Ａ及びユーザ端末２０Ｂのそれぞれから個人特定情報の出力を承諾する旨の指示を検索装置１が受信する場合もある。この場合、検索装置１は、ユーザＢのユーザ端末２０ＢへユーザＡの個人特定情報を出力し、ユーザＡのユーザ端末２０ＡへユーザＢの個人特定情報を出力する。
【００６４】
以上、本実施の形態によれば、検索対象ユーザ（ユーザＡ）は、検索ユーザ（ユーザＢ）の特徴情報を参照することで、検索ユーザの特徴を知ることができる。すなわち、自分に対して興味を持ってくれた人の特徴（タイプ）を把握することができる。このため、検索対象ユーザは、例えば、自分の好みのタイプでない人が自分に対して興味を持ってくれていた場合、新たな気づきを得ることができ、視点を変えてパートナー探しを行うことができる。また、検索対象ユーザの視点が変わることにより、パートナーを探し出すチャンスを広げることができる。
【００６５】
また、検索対象ユーザのログイン認証が成功したとき、検索対象ユーザのユーザ端末２０Ａに特徴情報を出力するので、検索対象ユーザは、ログイン認証が成功すれば、自分に対して興味を持ってくれた人の特徴を把握することができる。
【００６６】
また、検索ユーザ及び検索対象ユーザが互いに個人特定情報、すなわち氏名、居住地、顔写真等の出力を許可する指示を受信した場合、検索ユーザは、検索対象ユーザの個人特定情報を把握することができ、検索対象ユーザは、検索ユーザの個人特定情報を把握することができる。これにより、検索ユーザ及び検索対象ユーザは、相手のことを具体的に把握することが可能となる。
【００６７】
なお、上記実施の形態における記述は一例であり、これに限定されるものではない。例えば、上記実施の形態では、検索ユーザはユーザＢのみとしたが、複数の検索ユーザが存在する場合は、複数の検索ユーザの特徴情報を出力することとしてもよい。
【００６８】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１     検索装置
１１   プロフィール検索キーワード受信部（受信手段）
１２   プロフィールＤＢ検索部（検索手段）
１３   検索結果送信部（制御手段）
１４   検索対象者検索部
１５   検索者情報送信部（制御手段）
１６   記憶部（記憶手段）
２０Ａ，２０Ｂ       ユーザ端末
【図１】
0005395046.tif 000002
【図２】
0005395046.tif 000003
【図３】
0005395046.tif 000004
【図４】
0005395046.tif 000005